(57)【特許請求の範囲】
【請求項１】
画像表示部と、該画像表示部の少なくとも１辺に沿って隣接する他部とを含む電子表示装置と、
前記電子表示装置に隣接して配置されるカバーであって、前記表示装置の前記画像表示部に隣接して配置される第１の部分と、前記表示装置の前記他部に隣接して配置される第２の部分とを含み、前記カバーの前記第１の部分及び前記第２の部分が光学特性を有し、該光学特性は、前記表示装置が画像を表示していない時には、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【請求項２】
前記第２の部分の光学特性が、前記表示装置の前記他部の可視性を実質的に低下させるよう選択される、請求項１記載の電子ディスプレイ。
【請求項３】
前記第２の部分が不透明である、請求項１記載の電子ディスプレイ。
【請求項４】
前記第２の部分が不透明コーティングを含む、請求項１記載の電子ディスプレイ。
【請求項５】
前記第２の部分が、画像を表示していない時の前記画像表示部のＲＧＢ色彩値と同じＲＧＢ色彩値を含む不透明材料を含む、請求項３記載の電子ディスプレイ。
【請求項６】
前記第１の部分がティントを含む、請求項１記載の電子ディスプレイ。
【請求項７】
前記カバーが単一のプラスチックシートを含み、前記第１の部分及び前記第２の部分が前記シートの異なる領域を構成する、請求項１記載の電子ディスプレイ。
【請求項８】
前記第１の部分が、該第１の部分を透過する画像の色彩値の変化を低減するようにニュートラルグレイのティントを含む、請求項７記載の電子ディスプレイ。
【請求項９】
前記第２の部分が不透明コーティングを含む、請求項７記載の電子ディスプレイ。
【請求項１０】
前記電子表示装置が液晶装置を含む、請求項１記載の電子ディスプレイ。
【請求項１１】
前記カバーが平坦な外形を有する、請求項１記載の電子ディスプレイ。
【請求項１２】
画像表示部と、該画像表示部の少なくとも１辺に沿って隣接する他部とを含む主電子表示装置と、
前記主電子表示装置に隣接して配置されるカバーであって、前記主電子表示装置の前記画像表示部に隣接して配置される第１の部分と、前記表示装置の前記他部に隣接して配置される第２の部分とを含み、前記カバーの前記第１の部分及び前記第２の部分が光学特性を有し、該光学特性は、前記表示装置が画像を表示していない時には、ベゼルの無い均一なカバーの外観を呈するように選択され、前記第１の部分の光学特性が、前記画像表示部に表示される画像の透過に関しても選択される、カバーと、
前記主電子表示装置の画像表示の有無から独立して、前記カバーの前記第２の部分内に位置する領域内に少なくとも１つの画像を表示する副表示装置と、
を含む、ベゼルの無い電子ディスプレイ。
【請求項１３】
前記副表示装置が固定画像を表示する、請求項１２記載の電子ディスプレイ。
【請求項１４】
前記副表示装置が少なくとも１つのロゴを表示する、請求項１２記載の電子ディスプレイ。
【請求項１５】
前記副表示装置が、光源と、固定画像を定める構造とを含む、請求項１２記載の電子ディスプレイ。
【請求項１６】
前記副表示装置の前記光源が液晶表示装置を含む、請求項１５記載の電子ディスプレイ。
【請求項１７】
前記副表示装置の前記光源が発光ダイオードを含む、請求項１５記載の電子ディスプレイ。
【請求項１８】
前記副表示装置によって表示される前記固定画像を定める前記構造が、前記光源を覆う前記固定画像を定める複数の対比的な光学特性を含む、請求項１５記載の電子ディスプレイ。
【請求項１９】
前記光源が液晶表示装置を含み、前記固定画像を定める前記構造が前記液晶表示装置の一部を含む、請求項１５記載の電子ディスプレイ。
【請求項２０】
第１の部分及び第２の部分を含むカバーを、画像表示部と該画像表示部の少なくとも１辺の一部に沿って延在する他部とを含む表示装置に組み付けて、前記カバーの前記第１の部分が前記画像表示部を覆い、且つ、前記カバーの前記第２の部分が前記表示装置の前記他部を覆うようにすることと、
前記表示装置の前記画像表示部が画像を表示していない時に前記カバーが均一な外観を呈するように、前記第１の部分及び前記第２の部分の光学特性を選択することと、
を含む、ベゼルレス電子ディスプレイを提供する方法。
【請求項２１】
画像表示部と、該画像表示部の少なくとも１辺に沿って隣接する他部とを含む電子表示装置と、
前記電子表示装置を含むアセンブリ内に取り付けられ前記電子表示装置に隣接して配置されるカバーであって、前記表示装置の前記画像表示部に隣接して配置される第１の部分と、前記表示装置の前記他部に隣接して配置される第２の部分とを含み、前記カバーの前記第１の部分及び前記第２の部分が光学特性を有し、該光学特性は、前記表示装置が画像を表示していない時に、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【請求項２２】
開放端を含む囲壁を含み、該囲壁内に前記電子表示装置が取り付けられ、前記カバーがベゼルの無い前記囲壁の前記開放端を閉止する、請求項２１記載の電子ディスプレイ。
【請求項２３】
前記カバーが前記電子表示装置に取り付けられ、前記アセンブリの少なくとも一部を構成する、請求項２２記載の電子ディスプレイ。
【請求項２４】
前記アセンブリが前記囲壁を更に含む、請求項２３記載の電子ディスプレイ。
【請求項２５】
前記表示装置に取り付けられる別個のフレームを含み、前記カバー、前記別個のフレーム及び前記表示装置が取り付けられて前記アセンブリの少なくとも一部を構成する、請求項２１記載の電子ディスプレイ。
【請求項２６】
前記アセンブリの一部を構成する囲壁を含み、該囲壁が、ベゼルの無いカバーによって閉止される開放端を含む、請求項２５記載の電子ディスプレイ。
【請求項２７】
画像表示部と、該画像表示部の少なくとも１辺に沿って隣接する他部とを有する電子表示装置と、
前記電子表示装置に隣接して配置されるカバーであって、前記表示装置の前記画像表示部に隣接して配置され光学特性を有する第１の部分と、前記表示装置の前記他部に隣接して配置され光学特性を有する第２の部分とを含み、前記カバーの前記第１の部分及び前記第２の部分の光学特性が、前記表示装置が画像を表示していない時には、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【請求項２８】
画像表示部と、該画像表示部の少なくとも１辺に沿って隣接する他部とを有する電子表示装置と、
前記電子表示装置に隣接して配置されるカバーであって、前記表示装置の前記画像表示部に隣接して配置され光学特性を有する第１の部分と、前記表示装置の前記他部に隣接して配置され光学特性を有する第２の部分とを含み、前記カバーの前記第１の部分及び前記第２の部分の光学特性が、前記表示装置が暗い時に、ベゼルの無い均一なカバーの外観を呈するように選択され、前記第１の部分の光学特性が、前記電子表示装置の前記画像表示部に表示される画像の透過に関しても選択される、カバーと、
を含む、ベゼルの無い電子ディスプレイ。
【発明の詳細な説明】
【技術分野】
【０００１】
本明細書に開示される本発明は、一般的に電子ディスプレイに関する。具体的には、本発明は、ベゼルの無い電子ディスプレイ、即ち、ベゼルレス電子ディスプレイに関する。
【背景技術】
【０００２】
コンピュータで用いられるフラットパネルモニタや、フラットパネルテレビ等の電子ディスプレイは、電子ディスプレイの表示画面又は表示部を取り囲むベゼル、即ち枠を有するのが一般的である。
【発明の開示】
【０００３】
本発明は、ベゼルの無いアセンブリとして取り付けられる、画像表示部を有する電子表示装置と、該電子表示装置に隣接して配置されるカバーとを含む、ベゼルレス電子ディスプレイを提供する。このカバーは、電子ディスプレイに関してはレンズと称されることもある。しかし、このようなレンズは、光を屈折させる（例えば、収束又は発散させる）ことはないのが一般的である。カバーは表示装置の画像表示部を覆い、電子ディスプレイの正面を構成する。カバーは、電子ディスプレイの見られる側、即ち正面から見える、表示装置の画像表示部の外側の任意の部分も覆う。従って、ディスプレイの正面は、ベゼルの無いカバーとして呈示される。カバー及び表示装置は、電子ディスプレイの背面及び側面を構成する囲壁に取り付けられるのが好ましい。カバー及び表示装置は、本明細書で開示される好ましい実施形態を含む任意の適切な方法で、１つのアセンブリとして取り付けられるか又は組み立てられてもよい。また、カバー、表示装置及び囲壁は、本明細書で開示される好ましい実施形態を含む任意の適切な方法で、１つのアセンブリとして取り付けられるか又は組み立てられてもよい。例えば、カバー及び表示装置は、１つのサブアセンブリとして組み立てられてもよく、このサブアセンブリが囲壁に取り付けられて、１つのアセンブリを構成してもよい。
【０００４】
本明細書で検討するように、電子表示装置は、画像表示領域の外側の周辺部に、表示装置のフレーム又は支持部として機能するか或いは他の機能を果たす、他部を含むのが一般的である。カバーは、表示装置の画像表示部及び他部を覆う。従って、カバーは、電子ディスプレイの露出する部分、即ち電子ディスプレイを見ているユーザに面する部分を設ける。つまり、電子ディスプレイのベゼルレスな態様の正面を提供する。
【０００５】
カバーに対して選択されるパラメータに応じて、異なるベゼルレス効果が提供され得る。例えば、好ましい構成である平坦なカバーは、平坦なベゼルレスの正面を呈する。しかし、所望される効果に応じて、他の構成を用いてもよい。例えば、湾曲した構成を用いてもよい。このような湾曲した構成は、カバーが湾曲した外面を有するという意味で湾曲している。他の表面構造を有する構成を用いてもよい。カバーの構成に関りなく、カバーは、本明細書で説明するようなベゼルレスな態様で取り付けられる。
【０００６】
カバーは、少なくとも第１及び第２の部分を含み、第１の部分は画像表示部を覆い、第２の部分はディスプレイの他部を覆う。カバーの画像表示部を覆う部分及びディスプレイの他部を覆う部分は、画像表示部によって画像が表示されていない時（例えば、画像表示部が暗くなっているか又は所与の色の画面を表示している時）に、又は画像表示部によって画像（例えば、グラフィック又はテキスト画像）が表示されている時に、又は両方の時に、カバー全体にわたって所望の外観を提供するよう選択された光学特性を有するのが好ましい。第１の部分の光学特性は、表示装置の画像表示部からの画像の透過に関しても（例えば高い透過率を提供するように）選択される。
【０００７】
画像表示部及び表示装置の他部を覆うカバーの部分の光学特性は、表示装置が画像を表示していない時に、これらの部分が均一な外観を呈するよう選択できる。好ましい実施形態では、画像表示部が暗い時にはカバーの両方の部分にわたって均一な暗い外観を提供するように、光学特性が選択される。これら２つの部分の光学特性は、表示装置が画像を表示している時に所望の効果を提供するようにも選択できる。例えば、カバーの、表示装置の他部を覆う部分の光学特性は、表示装置の他部を部分的に若しくは完全にマスキングする、不明瞭にする、又は別様で表示装置の他部の可視性を低下させる、所望の色のボーダーを設けるように選択できる。
【０００８】
表示装置の他部を覆うカバーの部分の光学特性に関りなく、本発明による平坦なカバーは、ベゼルをなくすことによって面一又は平坦な外観を提供する。しかし、平坦ではない構成を有するカバーも、他のベゼルレスな外観を提供できる。表示装置の他部を覆うカバーの部分の光学特性は、特に、表示装置が画像を表示している時に、所望のボーダーの外観を呈するよう選択されてもよい。好ましい実施形態では、他部を覆うカバーの部分は不透明であり、不透明部分の色は、所望の外観を提供するよう選択されてもよい。カバーの形状、構成、サイズ等といった特性も、所望のベゼルレス効果を提供するよう選択されてもよい。
【０００９】
本発明の好ましい実施形態では、カバーの第２の部分の光学特性も、表示装置の他部を部分的に若しくは完全にマスキングする、不明瞭にする、又は、第２の部分を通した表示装置の他部の可視性を別様で低下させるように選択される。これは、例えば、第２の部分が不透明コーティングを有する等といった、第２の部分が低い透過率を有するか又は不透明である場合に達成され得る。この実施形態では、第２の部分は、ボーダー又はフレームの外観を呈する。平坦なカバーを用いると、フレーム又はボーダーは、表示装置の画像表示部に表示されている任意の画像と面一に見える。本発明の好ましい実施形態では、カバーの第２の部分は、画像が表示されていない時の表示装置の画像表示部と同じＲＧＢ色彩値を有する不透明材料を含む。これにより、表示装置が画像を表示していない時には、ボーダーレス、フレームレス、且つベゼルレスな正面の効果が提供される。
【００１０】
一実施形態では、カバーの第２の部分は、第１の部分を囲むと共に第１の部分と同一平面上にある。即ち、共に平坦なカバーを構成する。この平坦なカバーは、第１の部分及び第２の部分を含むシートを含むのが好ましい。即ち、カバーの第１の部分及び第２の部分が、シートの異なる領域を構成するのが好ましい。本発明の好ましい実施形態では、シートの第１の部分はティント（薄い着色）を含み、第２の部分は不透明である（例えば、不透明コーティングを有する）。第２の部分も、第１の部分のティントと同じ又は異なるティントを含んでもよい。均一なティントを有するシートが提供され得るように、第１の部分及び第２の部分のティントは同じであって、シートの第２の部分に不透明コーティングが設けられるのが好ましい。少なくとも第１の部分については、ティントは、第１の部分を透過した画像の色を著しく変えないニュートラルティント（例えばニュートラルグレーティント）であるのが好ましい。本明細書で説明するティンティング及び／又はコーティングは、シートではないカバーにも施されてよい。
【００１１】
本発明は、主表示装置と副表示装置とを含む複合電子ディスプレイも提供する。主表示装置は従来のものであってもよく、或いは、本明細書に開示される本発明の電子ディスプレイを含んでもよい。副表示装置は、主表示装置から独立して、１つ以上の画像を表示し、この画像は、主表示装置の画像表示部の外側に表示される。一実施形態では、副表示装置は、社名ロゴ、宣伝、使用許諾を得たキャラクター、又は個人向けの画像やメッセージ等といった単一の固定画像を生成する。
【００１２】
副表示装置は、主表示装置が画像を表示している時及び主表示装置が画像を表示していない時（例えば、主表示装置が暗くなっているか又は完全にオフの時）の両方において、画像を表示するのが好ましい。副表示装置によって表示される画像は、主表示装置に電力が供給されてない時にも表示される。例えば、副表示装置は、複合電子ディスプレイに外部から電力が供給されている限り、又はバッテリー電力が副表示装置に供給されている限り、画像を表示してもよい。
【００１３】
本発明の好ましい実施形態によれば、複合電子ディスプレイは、本明細書に開示されるようなベゼルレス電子ディスプレイと、カバーの第２の部分に画像を提供するよう配置された副表示装置とを含む。副表示装置は、光源と、画像を定める構造とを含む。例えば、光源は、ＬＥＤやランプ等の発光器であってもよく、画像を定める構造は、画像を定める対比的な光学特性を有するカバーの第２の部分の一部であってもよい。この実施形態では画像は固定されている。或いは、光源は、固定、可変又は動的な画像を生成する構造を含むＬＣＤ又は他の表示装置であってもよい。ＬＣＤ又は他の表示装置は、本明細書に開示されるように、カバーの第２の部分における対比的な光学特性に光を与えることによって、固定画像を生成してもよい。
【００１４】
本発明は、ベゼルレス電子ディスプレイを提供する方法も提供する。この方法は、第１の部分及び第２の部分を有するカバーを、画像表示部と該画像表示部の少なくとも１辺の一部に沿って延在する他部とを含む表示装置に取り付けて又は組み付けて、カバーの第１の部分が画像表示部を覆い、且つ、カバーの第２の部分が表示装置の他部を覆うようにすることと、表示装置の画像表示部が画像を表示していない時に、カバーが所望の外観を呈するように、第１の部分及び第２の部分の光学特性を選択することと、を含む。光学特性は、画像表示部が画像を表示している時に、カバーが所望のボーダーの外観を呈するように選択されてもよい。
【００１５】
本発明を添付の図面に図示するが、これらの図面は例示的なものであって限定的なものではない。図面中、同一参照番号は同一又は対応する要素を参照するよう意図されている。
【発明を実施するための最良の形態】
【００１６】
図１に示される本発明の好ましい実施形態によれば、電子ディスプレイ１０は、電子表示装置１００と、カバー２００と、表示装置１００及びカバー２００が取り付けられる囲壁３００とを含む。（説明のために、図示されている構成要素の一部は誇張され、幾分模式的に示されており、縮尺が合っていない場合がある。）
【００１７】
電子表示装置１００は従来のものであってよく、例えばＬＣＤパネル等といった、画像を生成してユーザに対して表示できる任意の装置を含んでよい。本発明で用いられ得る電子表示装置の一例は、サムスン電子（Samsung Electronics Co., Ltd.）のＴＦＴ−ＬＣＤモデルＬＴＭ１７０ＥＩである。
【００１８】
電子表示装置１００（図１）は、表示装置によって生成された画像をユーザに対して表示する画像表示部１１０を含む。例えば、表示装置１００の画像表示部１１０は、ＬＣＤパネルの表示領域を含んでもよい。表示装置１００の、ユーザに対する画像を表示する側を、装置の正面と称する場合がある。
【００１９】
電子表示装置１００（図１）は、表示装置１００の正面から見える（例えば、表示装置１００の正面を見ているユーザから見える）他部１２０も含む。他部１２０は、画像表示部１１０以外にも、例えば、表示装置を支持する若しくは取り付けるための、又は他の目的のための、表示装置のフレームや支持部等といった、表示装置１００の正面から見える表示装置１００の任意の１つ以上の構成部品を含んでよい。図１に示される実施形態では、他部１２０は、画像表示部１１０に隣接して画像表示部１１０を囲むように延在している。他部１２０は、具体的な表示装置に応じて、図１に示されている構成及び配置とは異なるように構成及び配置されてもよい。
【００２０】
例えば、表示装置１００（図１）がＬＣＤである場合には、他部１２０はＬＣＤフレームと称され、例えば上述したような様々な機能を果たし得る。表示装置１００がＬＣＤである場合には、他部１２０は、例えば図１に示されるような、表示装置を囲壁３００に取り付ける取り付けねじ用の穴を含んでもよい。
【００２１】
図１を参照すると、カバー２００は、少なくとも第１の部分２１０と第２の部分２２０とを含む。ライン２３０は、第１の部分２１０と第２の部分２２０との境界を示す。しかし、カバー２００の背後の照明条件によっては、ライン２３０及び境界は見えないこともある。例えば、カバー２００が表示装置１００に取り付けられており、表示装置１００が画像を表示していない（例えば、画像表示部１１０が暗い）状態では、ライン２３０は見えず、カバー２００は、図２に示されるように均一な外観を有する。一方、表示装置１００が画像を表示している（例えば、画像状の光を投影している）場合には、カバー２００の部分２１０内に画像が見え、ライン２３０は部分２１０と部分２２０との間の境界として現れ、部分２２０は、カバーの部分２１０内に見えている画像に対する面一のボーダーとして見える。図５は、面一のボーダー２２０（色を着けずに図示されているが、好ましい実施形態では暗くなっている）で囲まれた画像を表示しているディスプレイ１０を示している。
【００２２】
カバー２００の第１の部分２１０が表示装置１００の画像表示部１１０に隣接して少なくとも画像表示部１１０と同一の広がりを持つように配置され、且つ、カバー２００の第２の部分２２０が表示装置１００の他部１２０に隣接して少なくとも他部１２０と同一の広がりを持つように配置されるように、カバー２００の第１の部分及び第２の部分のサイズが決められ、カバー２００が電子表示装置１００の正面側に隣接して配置される。カバー２００の第１の部分２１０と第２の部分２２０とのサイズ関係は、表示装置１００の画像表示部１１０と他部１２０とのサイズ関係と同一又は略同じであるのが好ましい。図１に示されている実施形態では、カバー２００の第２の部分２２０が第１の部分２１０を囲んでいる。
【００２３】
カバー２００の第１の部分２１０及び第２の部分２２０は、それぞれ、（ａ）電子表示装置１００の画像表示部１１０に画像が表示されている時には、表示されている画像がユーザから見えるように第１の部分２１０を適切に透過すると共に、図５に示されるように面一のボーダー又はフレーム２２０を有してもよく、（ｂ）画像表示部１１０に画像が表示されていない時には、カバー２００の第１の部分２１０及び第２の部分２２０が、図２に示されるように、ベゼルの無い電子ディスプレイ１００の面一で均一な正面を呈するように、均一な外観を呈するよう選択された光学特性を有する。
【００２４】
本発明の好ましい実施形態では、第２の部分２２０の光学特性は、他部１２０の画像並びに他部１２０に取り付けられた任意のオブジェクト及び材料を完全にマスキングし、それらが第２の部分２２０を透過してユーザから見えるのを防ぐように選択される。この実施形態では、カバー２００は、例えば、ガラス又はプラスチックシート等の光を透過できる任意の適切な構造を含んでよく、部分２１０及び部分２２０は、シートの異なる領域を構成する。部分２１０及び部分２２０には、例えば、ティンティング、カラーリング又はコーティングにより、（ａ）表示装置１００の他部１２０の画像並びに他部１２０に取り付けられた任意のオブジェクト及び材料が第２の部分２２０を通して見えず、（ｂ）電子表示装置１００の画像表示部１１０に画像が表示されている時には、表示されている画像が第１の部分２１０を透過してユーザから見え、（ｃ）画像表示部１１０に画像が表示されていない時には、カバー２００の第１の部分２１０及び第２の部分２２０が、単一の面一な正面、即ちベゼルの無いカバーとして見えるよう均一な外観を呈するような、光学特性が与えられる。
【００２５】
例えば、塗料やインク等の不透明材料の層又はコーティングを、カバー２００を構成する構造の第２の部分２２０の領域内に施すことにより、上述の光学特性をカバー２００の第２の部分２２０に与えてもよい。好ましい実施形態では、不透明材料の色は、画像を表示していない時の表示装置１００の画像表示部１１０の外観と一致するよう選択される。これは、例えば測色計を用いて、画像が表示されていない時の表示装置１００の画像表示部１１０の例えばＲＧＢ色彩値を得て、同じ色彩値を有する不透明材料を選択することによって達成されてもよい。
【００２６】
上述のような光学特性を与えるために、カバー２００の第１の部分２１０はティンティング又はカラーリングされてもよい。好ましい実施形態では、電子表示装置１００の画像表示部１１０に画像が表示されている時には、表示されている画像が、例えば８０％の透過率で第１の部分２１０を適切に透過してユーザから見え、一方、画像表示部１１０に画像が表示されていない時には、第２の部分２２０に施された不透明材料の外観と一致する第１の部分２１０の外観をティントが提供し、両者が共に本明細書で説明した均一な外観を呈するように選択される特性を有する、ティンティングが設けられる。
【００２７】
好ましい実施形態では、電子表示装置１００はＬＣＤパネルであり、カバーの上述の光学特性は、カバー２００としてアクリルプラスチックシートを用いることで達成できる。（アクリルシートはレンズと称されることがあるが、このシートはレンズのように光を屈折させる（例えば、光を収束又は発散させる）ことはない。）アクリルシートには、（例えば、４４の光沢レベルを有する）グレア防止コーティング及び傷防止コーティングが設けられるのが好ましい。このようなコーティングは当該技術分野で周知である。プラスチックシートの第２の部分２２０は、第２の部分２２０の部分を形成する不透明材料として、標準的な黒色を有する塗料コーティング２２０ａを含む。第１の部分２１０は、部分２１０を透過した画像の色を著しく変えないティント又はカラーリングティントを含む。例えば、第１の部分２１０は、ニュートラルグレーのティント（例えば、スモークドティント（smoked tint）＃２０６４）を含み、約８０％の透過率を有してもよい。
【００２８】
図３に示されているアセンブリは、カバー２００と、表示装置１００と、囲壁３００とを含む。図示されているカバーの第２の部分２２０は、不透明材料のコーティング又は層２２０ａを有する。このアセンブリは、表示装置１００にカバー２００を取り付ける接着剤又は結合剤１５０も含む。表示装置は、囲壁の後部を貫通して表示装置のフレーム１２０のねじ穴（図１参照）に係合するねじによって、囲壁に取り付けられる。囲壁３００は、少なくとも電子表示装置１００及びカバー２００の厚さを収容するのに十分な高さの側壁３１０を含む。図４に示されている別の実施形態では、カバーは囲壁内に収容されず、囲壁の外にある（詳細は後述する）。例えば、入出力コネクタが配置され得る電子表示装置１００の後部へのアクセスを可能にするために、囲壁３００の後部に開口部３２０が設けられてもよい。
【００２９】
第１の部分２１０及び第２の部分２２０は、カバー２００を構成する単一の構造の別個の領域として図１に図示されると共に上記で説明されたが、部分２１０及び部分２２０は別個の部品であってもよい。例えば、本発明の一実施形態では、第１の部分２１０及び第２の部分２２０は、任意の適切な方法で一体に取り付けられてカバー２００を構成するそれぞれ別個の構造であってもよい。このような実施形態では、部分２１０及び部分２２０は、部分２１０及び部分２２０がベゼルレスカバーを呈するように、２つの部分の間にある隙間に詰め物をするか又は別様で所望の面一の外観を設けることを含み得る公知の手順を用いて、形成されて一体に取り付けられる。
【００３０】
カバー２００は、しっかりした取り付けを提供する任意の適切な方法で、電子表示装置１００又は囲壁３００に直接又は間接的に（例えば、後述するようなプラスチックフレームを用いて）取り付けられてよい。カバー２００から固定具が見えないように、固定具の無いシステムを用いるのが好ましい。カバー２００及び表示装置１００が共にサブアセンブリを構成するように、例えば、カバー２００は、接着剤、加熱接着又は超音波接着によって表示装置１００に取り付けられてもよい。好ましい実施形態では、３ＭTMカンパニー（3M Company）のＶＨＢTMアクリルフォームテープを用いている。図３に示されるように、ＶＨＢTMテープ１５０を用いて、カバー２００を電子表示装置１００に取り付けてもよい。組み立てた状態では、テープは表示装置１００の他部１２０とカバー２００の部分２２０との間にあり、これら２つの部品を接着している。まず、テープを表示装置の部分１１０に貼り付け、次に、テープの反対側にカバー２００の部分２２０が貼り付けられてもよく、或いはその逆であってもよい。
【００３１】
上述のように、ＶＨＢTMテープを用いて表示装置１００に接着されたカバー２００のサブアセンブリは、カバー２００が囲壁３００の隆起したエッジ３１０と面一になるように、サブアセンブリを囲壁３００内に（或いはその逆に）配置し、次に、囲壁３００の穴を通って表示装置１００の他部１２０内に至るように配置される取り付けねじを用いてサブアセンブリを囲壁３００に固定することによって、囲壁３００に取り付けられてもよい。
【００３２】
或いは、上述したように、カバー２００が、図４に示されるように囲壁３００の側壁３１０のエッジ上に配置されてその周囲と面一になるように、カバー２００のサイズが決定され、表示装置１００に接着されたカバー２００を含むサブアセンブリが囲壁３００に取り付けられてもよい。この実施形態では、カバー２００の第２の部分２２０が、囲壁３００の側壁３１０及び表示装置１００の他部１２０を覆う。サブアセンブリは、上述の方法と同様に、囲壁３００の後部から電子ディスプレイ１０に挿入されるねじを用いて、囲壁３００に固定されてもよい。
【００３３】
部分２２０が、その背後にあるものを何であれ完全にマスキングする光学特性を有する場合には、表示装置１００の画像表示部１１０に画像が表示されると、部分２２０は、部分２１０に対する不透明な面一のボーダー、即ち枠として見える。表示画面から突出するベゼルを有する従来のディスプレイとは異なり、部分２２０は、部分２１０を含む同一構造の一部であり、又は一部であるように見え、部分２１０から突出せず、部分２１０と面一、即ち同一平面上にある。
【００３４】
図５は、副表示装置４００を含む本発明の一実施形態を示しており、副表示装置４００は、この実施形態では主表示装置と称される表示装置１００から独立して、（「Ｌｏｇｏ」で表されている）１つ以上の画像を表示する。一実施形態では、副表示装置４００は、カバー２００の第２の部分２２０の領域４１０を含み、領域４１０は、例えば、社名ロゴ、宣伝、使用許諾を得たキャラクター、又は個人向けの画像やメッセージ等の画像を形成するよう改変されており、この領域４１０の背後には光源４２０が配置されており、領域４１０は光を透過させて画像を表示する。
【００３５】
カバー２００の第２の部分２２０が不透明コーティング２２０ａ（図３）を含む場合には、領域４１０は、例えば、不透明材料を画像形状に除くことによって形成されてもよい。例えば、不透明材料層として塗料を用いて第２の部分２２０に塗布する場合には、任意の適切なマスキング又はエッチングプロセスを用いてもよい。
【００３６】
光源４２０は、ＬＣＤ又はＬＥＤ等の任意の適切な光源であってよい。好ましい実施形態では、グローバル・ライティング・テクノロジーズ社（Global Lighting Technologies, Inc.）から、例えばマイクロレンズ（MicroLens）TMＬＥＤとして市販されているタイプのＬＥＤアセンブリを用いている。このアセンブリは、カバー２００と表示装置の他部１２０との間にしっかりと固定して光を領域４１０に向けるのに適した任意の方法で、領域４１０の背後に取り付けられる。例えば、接着剤や他の結合システム、又は固定具を用いて、ライトアセンブリ４２０を表示装置１００のフレーム１２０に取り付けてもよい。好ましい実施形態では、図６に示されるように、ライトアセンブリ４２０は、領域４１０の背後の位置において表示装置１００の他部１２０上に配置されたＶＨＢTMテープにライトアセンブリ４２０を貼り付けることによって、取り付けられてもよい。ＶＨＢTMテープは柔軟なので、アセンブリ４２０をＶＨＢTMテープに押し込んで、カバー２００がＶＨＢTMテープ及び表示装置１００の他部１２０に接着された際に、ＶＨＢTMテープがアセンブリ４２０の周囲に、ＬＥＤからの光がカバー２００の第１の部分２１０の背後の領域へと漏れてユーザ又は観察者から見えるのを防止するシールを構成するようにしてもよい。所望であれば、ＬＥＤから光が漏れないことを確実にするために、アセンブリ４２０の周囲にフォームのガスケットを配置してもよい。この光源は、公知の手段により、電子表示装置１００から独立して給電され、表示装置１００がオフ又は非アクティブな「スリープ」モードになった際にも点灯を続けることができる。例えば、電力は、（ディスプレイ１０がＡＣ電源に接続されたままである限りは）ＡＣラインから、又はバッテリー電源によって得ることができる。
【００３７】
領域４１０の画像を形成しない部分は、部分２１０と同じ光学特性を有するのが好ましい。従って、図７に示されるように、表示装置１００の画像表示部１１０に画像が表示されていない時には、カバー２００の部分２１０及び部分２２０は、副表示装置４００によって表示される画像を除き、上述のように均一な外観を呈する。図８に示されている本発明の別の実施形態では、副表示装置４００によって表示される画像は、上述のように光源（図示せず）の上に隣接して、カバー２００の露出している側に取り付けられる、プレート又はカバー４３０を含む。プレート又はカバー４３０上の画像は、上述のように形成されてよい。プレート又はカバー４３０はカバー２００の内側に取り付けられてもよく、その場合には、カバー２００は、部分２２０のプレートを覆う区画に光透過部を含む。
【００３８】
図９及び図１０には、本発明の別の実施形態が示されている。上述したように、電子ディスプレイ１０は、電子表示装置１００と、カバー２００と、囲壁３００とを含む。表示装置１００は、プラスチックフレーム３５０に嵌入され、例えば、フレーム３５０の両側及び表示装置１００の他部１２０の両側に挿入されるねじ等の任意の適切な手段によって、プラスチックフレーム３５０に取り付けられる。表示装置１００の正面の他部１２０上には、防塵ガスケット１６０が取り付けられる。防塵ガスケット１６０は、例えば接着剤等の任意の適切な手段によって、他部１２０に取り付けられてもよい。上述したように、ライトアセンブリ４２０は、表示装置１００の下方のフレーム３５０内の位置において切欠３８０に嵌入される。ライトアセンブリ４２０は、例えば接着剤等の任意の適切な手段によって、フレーム３５０の切欠３８０に取り付けられてもよい。カバー２００は、例えば上述のＶＨＢTMテープ１５０を用いる等の、任意の適切な方法でフレーム３５０に結合される。表示装置１００の裏側には、例えばねじ等の固定具や接着剤等の任意の適切な方法で、電力及び入出力接続を提供するプリント回路基板（「ＰＣＢ」）３６０が取り付けられる。フレーム３５０の下方には、例えば接着剤を用いる等の任意の適切な方法で、ボタン取り付けボード３７０が取り付けられ、ボタン取り付けボード３７０は、例えばオン／オフボタン及び輝度ボタン等の、表示装置１００を制御するためのボタンを提供する。ボタンは、ボタン取り付けボード３７０から囲壁３００の側壁３１０底部の穴３７５を通って下に延出し、その位置でユーザによってアクセスされ得る。上述した構成要素、即ち、フレーム３５０、表示装置１００、防塵ガスケット１６０、カバー２００、ライトアセンブリ４２０、ＰＣＢ基板３６０、及びボタン取り付けボード３７０は、サブアセンブリを構成し、サブアセンブリは、例えば、囲壁３００の裏側を通ってフレーム３５０の裏側に挿入されるねじ等の任意の適切な方法で、囲壁３００に取り付けられる。
【００３９】
本発明を、好ましい実施形態に関して説明及び図示したが、当業者には自明であるように、本発明の精神及び範囲から逸脱することなく、多くの変形及び変更がなされ得るものであり、従って、本発明は、上述した方法論又は構造の正確な詳細に限定されず、そのような変形及び変更は、本発明の範囲に包含されることが意図される。
【図面の簡単な説明】
【００４０】
【図１】本発明の一実施形態による電子ディスプレイの分解斜視図である。
【図２】図１に示されている電子ディスプレイの画像を表示していない時の斜視図である。
【図３】図１に示されている電子ディスプレイの模式的な側断面図である。
【図４】本発明による電子ディスプレイの一実施形態の模式的な側断面図である。
【図５】本発明の一実施形態による複合電子ディスプレイの正面図である。
【図６】図５に示されている複合電子ディスプレイの模式的な側断面図である。
【図７】本発明の一実施形態による複合電子ディスプレイの斜視図である。
【図８】本発明による複合電子ディスプレイの別の実施形態の正面図である。
【図９】本発明の一実施形態による電子ディスプレイの分解斜視図である。
【図１０】本発明の一実施形態による電子ディスプレイの分解斜視図である。
【図１】
0004486498.tif 000002
【図２】
0004486498.tif 000003
【図３】
0004486498.tif 000004
【図４】
0004486498.tif 000005
【図５】
0004486498.tif 000006
【図６】
0004486498.tif 000007
【図７】
0004486498.tif 000008
【図８】
0004486498.tif 000009
【図９】
0004486498.tif 000010
【図１０】
0004486498.tif 000011